(57)【要約】 【課題】撮影に不慣れな撮影者が撮影の失敗を繰り返さなくても撮影技術の向上を図ることができる撮影装置を提供する。【解決手段】表示画面上に構図の良さの程度を表わす評価値を表示させるにあたって、グラフ表示させることにより撮影者により分かり易く構図の評価値を通知する。そうすると、撮影者は、その通知を受けて例えばズームスイッチを操作して構図を変更したり、デジタルカメラをパンニング操作して構図を変更したり、チルティング操作して構図を変更したりすることができる。変更する度にグラフ表示がリアルタイムに変わるので撮影者はそのグラフ表示を見て良い構図になる撮影操作を習得するようになる。【選択図】図４
2009055448.tif 000002
【特許請求の範囲】
【請求項１】
被写体を表わす画像を生成する撮影装置において、
撮影指示を与える撮影指示手段と、
撮影指示前に生成された画像を表示する表示画面を有する表示手段と、
撮影指示前に生成された画像に基づいて、撮影画角内にある、被写体である人物の顔の位置を検出する顔位置検出手段と、
撮影画角内の顔の位置に基づいて、構図の良さの程度を表わす評価値を求める構図評価手段と、
前記構図評価手段で得られた評価値を、撮影指示に先立ってユーザに通知する構図評価通知手段とを備えたことを特徴とする撮影装置。
【請求項２】
前記構図評価通知手段は、前記構図評価手段で求められた評価値を前記表示画面上に表示するものであることを特徴とする請求項１記載の撮影装置。
【請求項３】
前記構図評価通知手段は、前記構図評価手段で求められた評価値を、前記表示画面上に棒グラフで表示するものであることを特徴とする請求項２記載の撮影装置。
【請求項４】
前記構図評価通知手段は、前記構図評価手段で求められた評価値が所定の基準値以上の評価値であったときに、前記表示画面上の、現在の顔位置に最近接した、評価値が極大となる位置にマークを表示させるものであることを特徴とする請求項２記載の撮影装置。
【請求項５】
前記構図評価通知手段は、前記表示画面上の、前記顔位置検出手段で検出された顔位置に、前記構図評価手段で求められた評価値に応じた態様のマークを表示させるものであることを特徴とする請求項２記載の撮影装置。
【請求項６】
前記構図評価通知手段は、前記表示画面上に、前記構図評価手段で求められた評価値が値の大きな評価値であるほど強調されたマークを表示させるものであることを特徴とする請求項５記載の撮影装置。
【請求項７】
前記構図評価通知手段は、前記表示画面上に、前記構図評価手段で求められた評価値が値の大きな評価値であるほど太線の枠からなるマークを表示させるものであることを特徴とする請求項６記載の撮影装置。
【請求項８】
前記構図評価通知手段は、前記表示画面上に、前記構図評価手段で求められた評価値が値の大きな評価値であるほど太線の、前記顔位置検出手段で検出された顔位置を横切って延びる当該撮影装置に対する水平線からなるマークを表示させるものであることを特徴とする請求項６記載の撮影装置。
【請求項９】
音を出力する音出力手段を備え、
前記構図評価通知手段は、前記音出力手段に、前記構図評価手段で求められた評価値に応じて、音を出力させるものであることを特徴とする請求項１から８のうちのいずれか１項記載の撮影装置。
【請求項１０】
前記構図評価通知手段は、前記構図評価手段で求められた評価値が所定の第１の基準値以上の評価値であったときに、前記音出力手段に、該第１の基準値以上の評価値が得られたことに対応する音を出力させるものであることを特徴とする請求項９記載の撮影装置。
【請求項１１】
前記構図評価通知手段は、前記構図評価手段で求められた評価値が所定の第１の基準値以上の評価値であったときに、前記音出力手段に、該第１の基準値以上の評価値が得られたことに対応する断続音であって、値の大きな評価値ほど時間間隔の短い断続音を出力させるものであることを特徴とする請求項１０記載の撮影装置。
【請求項１２】
前記構図評価通知手段は、前記構図評価手段で求められた評価値が所定の第１の基準値よりも低い所定の第２の基準値にも達しない評価値であったときに、前記音出力手段に、該第２の基準値に達しない評価値が得られたことに対応する音を出力させるものであることを特徴とする請求項１０又は１１記載の撮影装置。
【請求項１３】
前記撮影指示手段は、半押しと全押しの２段押しボタンを備え、全押しにより撮影指示を与えるものであって、
前記構図評価手段は、前記２段押しボタンの半押し後に動作するものであることを特徴とする請求項１から１２のうちのいずれか１項記載の撮影装置。
【発明の詳細な説明】
【技術分野】
【０００１】
本発明は、撮影光学系で撮像素子上に被写体を結像させて被写体を表わす画像を生成する撮影装置に関する。
【背景技術】
【０００２】
写真撮影においては構図が変わると同じ被写体であってもいろいろと趣の異なる写真が得られる。この写真撮影における構図を考える上においては黄金分割という概念がよく用いられる。この黄金分割というのは、構図を決めるときに撮影画面の縦横にそれぞれ２本づつラインを引いて撮影画面を９つの領域に分け、それらの領域のうちの右斜め上方の領域の中央の位置もしくは左斜め上方の領域の中央の位置に、例えば主要被写体が人物であった場合にはその人物の顔を位置させると全体的にバランスの取れた構図が得られるというものである。
【０００３】
ところで、撮影者の中には撮影に不慣れな人からハイアマチュアと呼ばれるプロ級の人に至るまで様々な人達がいる。後者のハイアマチュアと呼ばれる人にあっては、上記黄金分割という概念を踏まえた上で撮影場面に応じて最適な構図を適宜選択して撮影が行なわれるので良いが、前者の撮影に不慣れな人達にあっては、上記黄金分割という概念はほとんど頭になく、撮影画面の中央に主要被写体を置く、いわゆる日の丸構図で撮影が行なわれるためにバランスの悪い画像が得られてしまうことが多い。
【０００４】
上記撮影に不慣れな人達にあっては、撮影経験を重ねるにしたがって撮影技術が向上していくことが好ましいが、適正な撮影技術の向上を図るためには撮影の度に適正な評価を受けて自分の構図の決め方の欠点を知って改善していくことが必要である。
【０００５】
そこで、撮影者に対し、撮影により得た画像の構図を評価してその評価結果を撮影者に通知する撮影装置が提案されている（特許文献１〜３参照）。この特許文献１〜３の技術によれば撮影者による構図の決め方がどの程度のものであったかが撮影後に撮影者に伝えられるので、その評価が新たな撮影に活かされることにより撮影者の撮影技術の向上が図られることとなる。
【０００６】
しかし上記特許文献１〜３のように撮影後に評価が得られる構成では、撮影後に評価を受けたからといって撮影に不慣れな撮影者に直ぐに効果が現われるようになるとは考え難い。
【０００７】
そこで撮影の多くにおいては主要被写体となる人物の顔を検出する顔検出手段を設けてその顔検出手段で顔を検出しファインダとなる表示画面上に撮影に先立って顔の位置を表示して構図を決めるときの参考にすることができるようにする技術が提案されている（特許文献４参照）。
【０００８】
しかしながら、撮影に不慣れな撮影者達は、上記黄金分割という概念が全く分からないために特許文献４の技術により表示画面上に顔の位置が表示されても撮影装置の向きをどの様に調整すれば構図が良くなるかが全く分からない。
【０００９】
そこで特許文献５には、上記特許文献４の技術に加えて撮影装置の向きを音声でナビゲートする技術が開示されている。しかしこの特許文献５のように撮影装置の向きを音声でナビゲートする構成にすると、撮影者が音声を聞いて頭で内容を理解してから撮影装置の向きを変更することになるために時間がかかって撮影するときの被写体の状態がナビゲートされたときの状態とは変わってしまう恐れがある。
【００１０】
上記恐れを回避するために、特許文献６には、撮影レンズが捉えている画像が内部で解析されて良い構図が得られる向きに、撮影装置の向きが自動的に調整される技術が開示されている。しかし、この特許文献６のように良い構図が得られる向きに撮影装置の向きが自動的に変更されると、撮影者が何の操作をしないうちに良い構図が勝手に得られてしまうことになるため、不慣れな撮影者にとっては撮影技術に関して何も得られるものがない。
【特許文献１】特開２００５−２６９５６２号公報
【特許文献２】特開２００５−２８６９４０号公報
【特許文献３】特開２００１−１６７２５３号公報
【特許文献４】特開２００３−１０７５７３号公報
【特許文献１】特開２００３−２９８８８２号公報
【特許文献２】特開２００６−１８１５２４号公報
【発明の開示】
【発明が解決しようとする課題】
【００１１】
本発明は、上記事情に鑑み、撮影に不慣れな撮影者が撮影の失敗を繰り返さなくても撮影技術の向上を図ることができる撮影装置を提供することを目的とする。
【課題を解決するための手段】
【００１２】
上記目的を達成する本発明の撮影装置は、被写体を表わす画像を生成する撮影装置において、
撮影指示を与える撮影指示手段と、
撮影指示前に生成された画像を表示する表示画面を有する表示手段と、
撮影指示前に生成された画像に基づいて、撮影画角内にある、被写体である人物の顔の位置を検出する顔位置検出手段と、
撮影画角内の顔の位置に基づいて、構図の良さの程度を表わす評価値を求める構図評価手段と、
上記構図評価手段で得られた評価値を、撮影指示に先立ってユーザに通知する構図評価通知手段とを備えたことを特徴とする。
【００１３】
上記本発明の撮影装置によれば、上記顔位置検出手段で撮影指示前に生成された画像に基づいて顔の位置が検出され上記構図評価手段で構図の良さの程度を表わす評価値が求められ求められた評価値が撮影指示に先立ってユーザに通知される。
【００１４】
このため、撮影者は、撮影をせずに高い評価値を得るための操作をいろいろと試すことができるようになる。このことにより撮影者は、被写体に応じてどのように当該撮影装置を操作して構図を定めれば良いかを、撮影をせずにいろいろと試すことができるようになって、撮影の失敗を繰り返さなくても撮影技術の向上を図ることができるようになる。
【００１５】
ここで、上記構図評価通知手段は、上記構図評価手段で求められた評価値を上記表示画面上に表示するものであることが好ましい。
【００１６】
そうすると、ファインダ代わりに用いられる表示画面上の表示により撮影指示前に評価値が視覚的に通知されることになるので、従来の音声ナビゲートのときよりも短時間のうちに評価値が撮影者に通知されるようになる。このため撮影者は、当該撮影装置をいろいろと操作して高い評価値を得ようとするときに、時々刻々と変化する評価値を見ながらいろいろな撮影操作を試すことができるようになる。またシャッタチャンスに評価値が大きくなったときには、そのまま撮影を適時に行なうことができるようにもなる。
【００１７】
また、上記構図評価通知手段は、上記構図評価手段で求められた評価値を、上記表示画面上に棒グラフで表示するものであっても良い。
【００１８】
上記評価値が表示画面上に数字で表示されると分かりにくいので、上記棒グラフで表示画面上に表示されると、撮影者に評価値がより効果的に通知される。
【００１９】
また上記構図評価通知手段は、上記構図評価手段で求められた評価値が所定の基準値以上の評価値であったときに、上記表示画面上の、現在の顔位置に最近接した、評価値が極大となる位置にマークを表示させるものであることが好ましい。
【００２０】
そうすると、現在の構図よりも評価値が良くなる顔の位置が上記マークの表示により撮影者に撮影前に通知されることになるので、撮影者は当該撮影装置の向きをその表示画面上の表示にしたがって変更してから撮影を行なうことができる。こうして評価値の大きくなる構図が得られるところにマークが表示されると、そのマークが指標となって当該撮影装置をどのように操作したら良いかが通知されることになるので、不慣れな撮影者にとっては撮影技術の向上を図る上においてこの上もない援助となる。
【００２１】
上記構図評価通知手段は、上記表示画面上の、上記顔位置検出手段で検出された顔位置に、上記構図評価手段で求められた評価値に応じた態様のマークを表示させるものであると良い。
【００２２】
そうすると、マークの態様の違いにより評価値を直感的に把握することができるので、撮影者は、その直感的に把握される評価値を見てズーム操作、パンニング操作、チルティング操作等を行なって評価値を確認しながら良い構図を短時間のうちに、つまりシャッタチャンス中に模索することができる。
【００２３】
ここで上記構図評価通知手段は、上記表示画面上に、上記構図評価手段で求められた評価値が値の大きな評価値であるほど強調されたマークを表示させるものであると良く、
例えば上記構図評価通知手段は、上記表示画面上に、上記構図評価手段で求められた評価値が値の大きな評価値であるほど太線の枠からなるマークを表示させるものであると尚良い。
【００２４】
そうすると、撮影者が操作により構図を変えているときに表示画面上の表示を見てより大きな評価値の構図が得られているかどうかを瞬時に判断することができる。このため、構図の定め方を表示を見ながら習得することができるようになる。
【００２５】
また上記構図評価通知手段は、上記表示画面上に、上記構図評価手段で求められた評価値が値の大きな評価値であるほど太線の、上記顔位置検出手段で検出された顔位置を横切って延びる当該撮影装置に対する水平線からなるマークを表示させるものであっても良い。
【００２６】
上記黄金分割のほかに、撮影画角内にある人物の顔の目線の位置によっても構図の良し悪しは分かる。そこで上記顔位置を横切って延びる当該撮影装置に対する水平線からなるマークを表示画面上に表示させる構成にすることによっても、撮影者に構図の良さの程度を表わす評価値を的確に通知することができる。
【００２７】
ここで音を出力する音出力手段を備え、
上記構図評価通知手段は、上記音出力手段に、上記構図評価手段で求められた評価値に応じて、音を出力させるものであると良く、
上記構図評価通知手段は、上記構図評価手段で求められた評価値が所定の第１の基準値以上の評価値であったときに、上記音出力手段に、その第１の基準値以上の評価値が得られたことに対応する音を出力させるものであると良い。
【００２８】
表示画面上の表示により撮影者の視覚に訴えるだけでも良いが、音を併用して視覚と共に聴覚にも訴えるようにすると、より確実に構図の良し悪しが通知されるので上記音出力手段を設けて表示の他に音を出力させる構成にすると良い。
【００２９】
ここで上記構図評価通知手段は、上記構図評価手段で求められた評価値が所定の第１の基準値以上の評価値であったときに、上記音出力手段に、その第１の基準値以上の評価値が得られたことに対応する断続音であって、値の大きな評価値ほど時間間隔の短い断続音を出力させるものであると良く、
さらに、上記構図評価通知手段は、上記構図評価手段で求められた評価値が所定の第１の基準値よりも低い所定の第２の基準値にも達しない評価値であったときに、上記音出力手段に、その第２の基準値に達しない評価値が得られたことに対応する音を出力させるものであると良い。
【００３０】
ここで、上記撮影指示手段は、半押しと全押しの２段押しボタンを備え、全押しにより撮影指示を与えるものであって、
上記構図評価手段は、上記２段押しボタンの半押し後に動作するものであることを特徴とする。
【００３１】
そうすると、上記構図評価手段が上記２段押しボタンの半押し後に動作するものであると、半押しまでは上記構図評価手段が動作しなくなるのでその構図評価手段の負担が軽減され電力消費が軽減されるという効果が得られる。
【発明の効果】
【００３２】
以上、説明したように、撮影に不慣れな撮影者が撮影の失敗を繰り返さなくても撮影技術の向上を図ることができる撮影装置が実現する。
【発明を実施するための最良の形態】
【００３３】
以下図面を参照して本発明の実施の形態を説明する。
【００３４】
図１は、本発明の撮影装置の一実施形態であるデジタルカメラを示す図である。
【００３５】
図１には本発明の一実施形態であるデジタルカメラ１００の斜視図が示されている。図１（ａ）には正面上方から見た斜視図が示されており、図１（ｂ）には背面上方から見た斜視図が示されている。
【００３６】
図１（ａ）に示すように、本実施形態のデジタルカメラ１００のボディ中央には撮影光学系１７００が内蔵されたレンズ鏡胴１７０が備えられており、そのレンズ鏡胴１７０の上方にはファインダ１０５が備えられている。またそのファインダ１０５の脇には撮影補助光発光窓１６１が備えられている。
【００３７】
また、図１（ｂ）に示すように本実施形態のデジタルカメラ１００の背面および上面にはユーザがこのデジタルカメラ１００を使用するときにいろいろな操作を行うための操作子群１０１が備えられている。
【００３８】
この操作子群１０１の中にはデジタルカメラ１００を作動させるための電源スイッチ１０１ａのほか、十字キー１０１ｂ、メニュー／ＯＫキー１０１ｃ、キャンセルキー１０１ｄ、モードレバー１０１ｅ、ズームスイッチ１０１ｆなどがある。これらの操作子群の中のモードレバー１０１ｅによっては、再生モードと撮影モードの切替や撮影モードの中でさらに動画モード、静止画モードの切替が行なわれる。上記モードレバー１０１ｅが撮影モードに切り替えられた状態にあるときに電源スイッチ１０１ａが投入されると表示画面１５０上にスルー画が表示されて、そのスルー画を見ながらシャッタチャンスにレリーズ釦１０２が押されて被写体の撮影が行なわれる。なお上記モードレバー１０１ｅが再生側に切り替えられた状態にあるときには既撮影画像が表示画面１５０上に再生表示される。また、本実施形態のデジタルカメラ１００には動画像を撮影するときに音声を拾うためのマイクＭＩＣと動画像を再生するときに音声を出力するためのスピーカＳＰが備えられている。また本実施形態のレリーズ釦１０２は半押しと全押しの二つの操作態様を有するものである。このレリーズ釦１０２が本発明にいう撮影指示手段の一例を構成する。
【００３９】
図２は、図１のデジタルカメラ１００内部の電気系統の構成ブロック図である。
【００４０】
図２を参照してこのデジタルカメラ１００の内部の構成および動作を簡単に説明する。
【００４１】
本実施形態のデジタルカメラ１００ではすべての処理がＣＰＵ１１０によって統括的に制御されている。
【００４２】
ＣＰＵ１１０の入力部には図１（ｂ）に示した操作子群１０１からの操作信号がそれぞれ供給されていてそれらの操作信号のうちの少なくとも一つが供給されてくると操作信号に応じた処理が適宜ＣＰＵ１１０によって実行される。なお図２には、レリーズ釦１０２と図１の操作子群１０１のうちのモードレバー１０１ｅのみが示されている。
【００４３】
またＣＰＵ１１０には内部にプログラムメモリであるＲＯＭ（不図示）が備えられており、そのＲＯＭ内にはこのデジタルカメラ１００が撮影装置として動作するために必要なプログラムが書き込まれている。このＲＯＭ内のプログラムは電源スイッチ１０１ａがオフになっているときにも走っており、電源スイッチ１０１ａの投入を待ち受けている。この待ち受け状態にあるときに操作子群１０１の中の電源スイッチ１０１ａ（図１参照）が投入されると電源スイッチ１０１ａが投入されたことがＣＰＵ１１０によって検知され、ＲＯＭ内のプログラムの手順にしたがってこのデジタルカメラ全体の動作を制御する処理が開始される。なお、ＣＰＵ１１０には不図示の電池からから常に電力が供給されている。
【００４４】
ここで操作子群１０１の中の電源スイッチ１０１ａ（図１参照）が投入された後のデジタルカメラ１００の動作を、図２を参照して説明する。
【００４５】
モードレバー１０１ｅが撮影モード側に切り替えられていた場合には、画像表示装置１５が備える表示画面１５０（図１参照）上にスルー画の表示が行なわれるので、まずスルー画を表示するときの処理を説明し、その後レリーズ釦１０２の押下を受けて行なわれる撮影処理を説明する。
【００４６】
まずスルー画を表示画面１５０上に表示するときの処理を説明する。
【００４７】
操作子群１０１の中の電源スイッチ１０１ａが投入されＣＰＵ１１０によりそのことが検知されると、電池（不図示）と各部との接断を担うスイッチ（不図示）が接続され電池からの電力が各部に供給される。電源スイッチ１０１ａが投入されたときにモードレバー１０１ｅが撮影モードに切り替えられていた場合には、ＣＰＵ１１０の制御の下にタイミングジェネレータ１１１からＣＣＤ１２０に向けて所定の間隔ごとに電子シャッタが設定され電子シャッタのオフタイミングで撮像素子１２０から所定の間隔ごとに画像がＣＤＳＡＭＰ１２１に出力される。このときにはＣＣＤ１２０の全画素が用いられずに、画素がある程度間引かれ間引かれた画素数からなる画像（以降スルー画という）がＣＤＳＡＭＰ１２１に出力される。
【００４８】
なお、図２の左側に示す様にレンズ鏡胴１７０内の撮影光学系１７００にはズームレンズ１７０１、小絞りと開放絞りとを備えた絞り板１７０２、フォーカスレンズ１７０３が備えられており、そのフォーカスレンズ１７０３は、後述するＡＦ検出部１３０の検出結果を受けたＣＰＵ１１０からの指示に応じてモータドライバ１１２により駆動されて合焦位置に常に配置される構成になっており、またズームレンズ１７０１はズームスイッチ１０１ｆ（図１参照）の操作を受けたＣＰＵ１１０からの指示に応じてモータドライバ１１４によりそのズームスイッチ１０１ｆの操作位置に応じた位置に配置される構成になっており、絞り板１７０２は、後述するＡＥ＆ＡＷＢ検出部１３１の検出結果を受けたＣＰＵ１１０からの指示に応じて、モータドライバ１１３の駆動により小絞り又は開放絞りのいずれかが光軸に配置される構成になっている。このため、ＣＣＤ１２０には、レンズ鏡胴１７０内の撮影光学系１７００が捉えている被写体にピントがあうととともに露出が調整された画像が結像され、その画像に基づいたスルー画がＣＤＳＡＭＰ１２１へと出力されることとなる。
【００４９】
そのＣＤＳＡＭＰ１２１ではスルー画に乗っているノイズの低減処理が行なわれ、Ａ／Ｄ変換部１２２ではそのＣＤＳＡＭＰ１２１から出力されたアナログ信号のスルー画を受けてアナログ信号のスルー画からデジタル信号のスルー画への変換処理が行なわれる。そのデジタル信号のスルー画が画像入力コントローラ１２３によりバスｂｕｓ側に導かれてバスｂｕｓを介してメモリ（ＳＤＲＡＭ）１２４に一旦記録される。
【００５０】
このメモリ１２４にスルー画が一旦記憶されたら、今度は画像信号処理部１２５がメモリ１２４内のスルー画を読み出して画像処理を開始する。画像信号処理部１２５には、色分離部やＹＣ変換部などがあり、色分離部では画像が赤（Ｒ）、緑（Ｇ）、青（Ｂ）の各色信号に分離され、ＹＣ変換部ではそれらの各色信号が色変換行列によってＹＣＣ信号に変換されて画像処理が行なわれた後のスルー画が表示バッファであるＶＲＡＭ１２６に供給される。このＶＲＡＭ１２６には、２フレーム（Ａ，Ｂ）分の記憶領域があり、各領域にそれぞれ１フレームづつのスルー画が記憶されるようになっている。まず、この２フレーム分の画像のうちの領域Ａの画像がＶｉｄｅＥｎｃｏｄｅｒ１２７に供給され画像表示装置１５が備える表示画面１５０上に表示される。この後所定の時間が経過したら今度はこの２フレーム分の画像のうちの領域Ｂの画像がＶｉｄｅＥｎｃｏｄｅｒ１２７に供給され画像表示装置１５が備える表示画面１５０上に表示される。この間にＶＲＡＭ１２６の領域Ａ内の画像が領域Ｂに記憶されていたフレームの次の時刻のフレームの画像に更新され、次々にその更新されたスルー画が画像表示装置１５に供給されていってスルー画が所定の間隔ごとに切り替えられて表示画面１５０上に表示される。
【００５１】
また、メモリ１２４内のスルー画は、ＣＰＵ１１０の制御の下にＡＦ検出部１３０およびＡＥ＆ＡＷＢ検出部１３１にも供給され、双方の検出部１３０，１３１で各色信号を用いて積算処理が行なわれる。ＡＦ検出部１３０では、主要被写体と背景との間のコントラストが検出されそのコントラストから合焦位置が検出される。またＡＥ＆ＡＷＢ検出部１３１では、各色信号に基づいて輝度が検出され露出調整が行なわれると共に、各色信号が積算処理されホワイトバランスが調整される。このため、スルー画はいつでもピントが調整され、露出およびホワイトバランスが調整された鮮明なカラー画像になる。
【００５２】
ここで、その表示画面１５０上にスルー画が表示されているときにそのスルー画を見て撮影者によってレリーズ釦１０２が半押しされると、撮影処理が開始される。なお図２には、半押しと全押しの２つのスイッチが示されており、半押し側のスイッチには符号Ｓ１が付され、全押し側のスイッチには符号Ｓ２が付されている。周知の通り、レリーズスイッチ１０２が押しこまれるにしたがって半押し側のスイッチＳ１、全押し側のスイッチＳ２が順次接続される構成になっている。
【００５３】
まず、レリーズ釦１０２が半押しされたことを受けてＣＰＵ１１０は、ＡＦ検出部１３０とＡＥ＆ＡＷＢ検出部１３１にＡＥ処理とＡＦ処理を実行させる。このときにはＡＦ検出部１３０の検出結果に応じてはＣＰＵ１１０が、モータドライバ１１２に指示してフォーカスレンズ１７０３を合焦位置に移動させ、ＡＥ＆ＡＷＢ検出部１３１の検出結果に応じてはＣＰＵ１１０がモータドライバ１１３に指示して小絞り又は開放絞りのいずれかを光軸に位置させるように絞り板１７０２を回動させるとともに、ＣＰＵ１１０はタイミングジェネレータ１１１にＡＥ値に応じた電子シャッタを設定する。
【００５４】
さらに、レリーズ釦１０２が全押しされると、タイミングジェネレータ１１１からＣＣＤ１２０に電子シャッタを設定させて所定のシャッタ秒時の間露光を行なわせ電子シャッタのオフタイミングでＣＣＤ１２０からＣＤＳＡＭＰ１２１へ画像（全画素）を出力させる。
【００５５】
そしてＡＤ変換部１２２でアナログの画像からデジタルの画像への変換が行なわれた後に画像入力コントローラ１２３の制御の下にデジタル信号に変換された画像がバスｂｕｓ側に導かれメモリ１２４に一旦記憶される。その後、画像信号処理部１２５が、メモリ１２４内の画像を読み出し画像処理を行なって再度メモリ１２４に記憶する。その後圧縮処理部１２８が、メモリ１２４内の画像を読み出して圧縮処理を行なう。ＣＰＵ１１０が、圧縮処理の終了を圧縮処理部１２８内のフラグ等の書き換わり等により検知したら、圧縮情報とともに圧縮された画像データを画像ファイルにしてメディアＣｏｎｔｒｏｌｌｅｒ１２９を介して記録メディア１６０に記録する。本実施形態のデジタルカメラ１００は、以上のような構成を持つ。
【００５６】
ところで、本実施形態のデジタルカメラ１００には上記課題を達成するために顔位置検出手段１８０と構図評価手段１８１が設けられている。スルー画からその顔位置検出手段１８０によって顔の現在位置が検出され検出された顔の位置情報が後段の構図評価手段１８１に供給され、構図評価手段１８１によって顔の位置に基づいて構図の良さの程度を表わす評価値が求められる構成になっている。構図評価値手段１８１には、内部にメモリ（不図示）が備えられており、その内部のメモリには前述の黄金分割に基づいて顔の位置に応じて評価値が付されている定義データが数多く記憶されているので、構図評価手段１８１は、そのメモリ内の定義データそれぞれと上記顔位置検出手段の検出結果とを見比べて評価値を算出する。
【００５７】
ＣＰＵ１１０は、その評価値を、バスｂｕｓを経由してグラフデータ作成部１４１に転送しグラフデータ作成部１４１にグラフデータを作成させ、さらにバスｂｕｓを経由してそのグラフデータをＶｉｄｅｏＥｎｃｏｄｅｒ１２７を介して画像表示装置１５に供給し画像表示装置１５が有するＯＳＤ（Ｏｎ  Ｓｃｒｅｅｎ  Ｄｉｓｐｌａｙ）機能により表示画面上のスルー画に重ねて評価値をグラフ表示により表示画面上に表示させて撮影者に構図の良さの程度つまり評価値を通知する。
【００５８】
つまり、本実施形態においては、本発明にいう表示手段の一例が、画像表示装置１５で構成され、また、構図評価通知手段の一例が、ＣＰＵ１１０とグラフデータ作成部１４１とＶｉｄｅｏＥｎｃｏｄｅｒ１２７と画像表示装置１５とで構成される。
【００５９】
図３は、撮影指示前に、スルー画から構図の良さの程度を表わす評価値を求める処理を行なう部分のみを抜き出して示した処理系統図である。
【００６０】
ＣＣＤ１２０から画素が間引かれて出力されているスルー画から顔位置検出手段１８０によって現在の顔位置が検出され、構図評価手段１８１によって、現在の顔位置とメモリ１８１０内の定義データとが見比べられて評価値が算出される。ＣＰＵ１１０は、この評価値をグラフデータ作成部に転送しそのグラフデータ作成部１４１にグラフデータを作成させてそのグラフデータをＶｉｄｅｏＥｎｃｏｄｅｒ１２７を介して画像表示装置１５に供給して画像表示装置が備えるＯＳＤ機能を使って表示画面１５０上に評価値を棒グラフで表示させる。
【００６１】
前述した様に、従来においてはデジタルカメラ１００の向きを音声でナビゲートしていたために、撮影者が音声を聞いて頭で内容を理解してからデジタルカメラ１００の向きを変更するまでに時間を要して撮影するときの被写体の状態がナビゲートされたときの内容とは変わってしまう恐れがあったが、本実施形態においては、表示画面１５０上に評価値が棒グラフの形で表示されるので、被写体である撮影者はデジタルカメラ１００の向きを変更する等の操作を行なっている最中に棒グラフで表示される評価値の変化を見ながら構図の良し悪しを瞬時のうちに確認することができる。このため、撮影者は、被写体に応じて良い構図を得るためにどのような操作を行なえば良いかを表示画面上の表示を見ながら今までに比べて短時間のうちに習得することができるようになる。
【００６２】
なお詳細は後述するが、本実施形態のデジタルカメラ１００には、音声処理部１４２が備えられており、表示に加えて音声をスピーカＳＰから出力させることにより情報の通知を行なうことができる構成にもなっている。
【００６３】
図４は、本実施形態のデジタルカメラ１００が行なう表示例を説明する図である。
【００６４】
なお図４には、図１（ｂ）に示す背面図に示されている部材のうちの表示画面１５０とズームスイッチ１０１ｆと十字キー１０１ｂの位置関係のみが模式的に示されている。
【００６５】
図４（ａ）には、図１のデジタルカメラを構えて被写体を捉えているときのスルー画に基づいてグラフ表示により評価値が表示されているときの例が示されており、図４（ｂ）には、撮影者の操作により図４（ａ）の構図が変更されて図４（ａ）よりも評価値の大きな構図のスルー画が得られたときの状態が示されている。
【００６６】
図３で説明した様に構図評価手段１８１によってスルー画中の顔の位置と構図評価手段１８１が内蔵するメモリ１８１０内の定義データとが見比べられて評価値が算出されると、図４（ａ）に示すようにその評価値が表示画面１５０上に棒グラフｇで表示される。
【００６７】
この図４（ａ）のときには棒グラフｇで示される評価値が小さいことが撮影者に通知される。このときに例えば撮影者によってズームスイッチ１０１ｆのうちのテレ（Ｔ）側が操作されると、図４（ｂ）の画像になって棒グラフｇの評価値が大きくなったことが撮影者に通知される。つまり撮影者は、ズームスイッチ１０１ｆを操作することでより良い構図にすることができるということを習得して以降の撮影機会においては同様の撮影チャンスにおいてズームスイッチ１０１ｆを操作してすぐに良い構図を得ることができるようになる。また撮影操作中に評価値がリアルタイムに通知されるので、評価点が悪いときには撮影をせずに済んで撮影に失敗することがほぼなくなる。
【００６８】
図５は、評価値の算出の仕方を説明する図である。
【００６９】
図５の表には、顔の数が一つの場合の５つの定義データとその５つそれぞれの各定義データの評価値が示されている。
【００７０】
図５の表中の一番左側の欄には、撮影画角内の顔の数が示されており、中央には、構図つまり定義データが示されており、右側には評価値が示されている。図５の中央の構図の欄にある定義データ中の大きな四角が撮影画角に対応し、その大きな四角の中の小さな四角が、撮影画角内の顔の位置に対応する。
【００７１】
図５の表中の構図の欄の一番上に示されているのが従来例に記載した日の丸構図であり、評価値は０点になっている。また、撮影画角の４つの角部に顔が位置している場合にも評価値は０点になっている。
【００７２】
これに対し、前述の黄金分割を踏まえて撮影画角を９つの領域に分けたときの左斜め上側の領域の中央と右斜め上側の領域の中央に顔が位置したときには評価値が満点である１点になっている。
【００７３】
さらに、前述の黄金分割を踏まえて撮影画角を９つの領域に分けたときの右斜め下側の領域の中央と左斜め下側の領域の中央に顔が位置したときの構図にはややバランスの悪い構図になるということが考慮され最高の評価値１．０に対して０．４点という評価値が割り当てられている。
【００７４】
本実施形態においては、構図評価手段１８１によって、例えば、顔位置検出手段１８０で検出された顔の位置が、メモリ１８１０内の定義データ中の評価値０と評価値１．０の中間位置にあると判定された場合には、比例配分等により０．５点という評価値が算出されたり、顔の位置が定義データ中の評価値０．４と評価値１．０との中間位置にあると判定された場合には、０．７点という評価値が算出されたりする。そして、その構図評価手段１８１の評価値の算出結果が、ＣＰＵ１１０の制御の下にグラフデータ作成部１４１に転送されそのグラフデータ作成部１４１で作成されたグラフデータがＶｉｄｅｏＥｎｃｏｄｅｒ１２７を介して画像表示装置１５に供給され、その画像表示装置１５のＯＳＤ機能により図４に示すように評価値が棒グラフｇで表示画面１５０上に表示される。
【００７５】
つまり、本発明にいう構図評価通知手段の一例が、ＣＰＵ１１０とグラフデータ作成部１４１とＶｉｄｅｏＥｎｃｏｄｅｒ１２７と画像表示装置１５とで構成されている。
【００７６】
図６は、ＣＰＵ１１０が実行する撮影処理の手順を示すフローチャートである。
【００７７】
電源スイッチ１０１ａが投入され、モードレバー１０１ｅが撮影モードに切り替えられたときにこのフローの処理が開始される。
【００７８】
ステップＳ６０１で、ＣＰＵ１１０は、ＣＣＤ１２０で生成されたスルー画を表示バッファであるＶＲＡＭ１２６を介しＶｉｄｅｏＥｎｃｏｄｅｒ１２７を通して画像表示装置１５に所定の間隔ごとに供給して画像表示装置１５が備える表示画面１５０上にスルー画を表示させる。
【００７９】
次のステップＳ６０２でＣＰＵ１１０は、このスルー画を見ている撮影者によってレリーズ釦１０２が押下されたかどうかを判定する。このステップＳ６０２でレリーズ釦１０２が押下されたと判定したらＹｅｓ側へ進んでステップＳ６０３で上記した撮影処理を実行して記録メディア１６０に画像を記録する。このときには評価値を撮影情報としてヘッダ部に記録する。次のステップＳ６０４で電源スイッチ１０１ａがオフされたか、モードレバー１０１ｅが再生側に切り替えられたかを判定して撮影終了であると判定したら、Ｙｅｓ側へ進んでこのフローの処理を終了する。
【００８０】
このステップＳ６０４で電源スイッチ１０１ａがオフされず、またモードレバー１０１ｅも撮影モードに切り替えられたままであると判定したらＮｏ側へ進んでステップＳ６０２に戻ってステップＳ６０２からの処理を繰り返す。
【００８１】
ステップＳ６０２でレリーズ釦１０２が押下されていないと判定したらＮｏ側へ進んでステップＳ６０５で顔位置検出手段１８０と評価値算出手段１８１をアクティブ状態にしてスルー画をＶＲＡＭ１２６に供給するとともに顔位置検出手段１８０に供給して顔の位置を検出させ、さらに評価値算出手段１８１にその顔の位置に基づいて構図の良さの程度を表わす評価値を算出させる。
【００８２】
ＣＰＵ１１０はその評価値を受けて、画像表示装置１５が有するＯＳＤ機能を働かせるためにグラフデータ作成部１４１にグラフデータを作成させＶｉｄｅｏＥｎｃｏｄｅｒ１２７を介して画像表示装置１５にＯＳＤパラメータをセットして表示画面１５上に評価値を棒グラフ表示させる。次のステップＳ６０８でウエイティング処理を行なって所定の時間の経過を待ってステップＳ６０２に戻ってステップＳ６０２からの処理を繰り返す。
【００８３】
以降、ステップＳ６０２でレリーズ釦１０２が押下されていないと判定したら、ステップＳ６０２からステップＳ６０８の処理を繰り返し、レリーズ釦１０２が押下されたと判定したらＮｏ側へ進んでステップＳ６０３で撮影を行なってステップＳ６０４で電源スイッチ１０１ａがオフされるか、モードレバー１０１ｅが再生モードに切り替えられたら撮影終了であると判定してこのフローの処理を終了する。
【００８４】
以上説明した様に、スルー画の表示中にこれから撮影しようとしている被写体の構図の評価がグラフ表示されると、図１のデジタルカメラの向きを変えたり、ズームスイッチを操作したりする等してグラフ表示される評価値をいろいろと確認しながら構図をいろいろと定めることができる。このため、撮影者は撮影をしなくても構図の決め方を習得することができ、またシャッタチャンスに大きな評価値が得られていることが表示されているときには、その表示を見て直ぐに撮影を行なうことができる。
【００８５】
すなわち、不慣れな撮影者が撮影の失敗を繰り返さなくても撮影技術の向上を図ることができる撮影装置が実現する。
【００８６】
上記第１実施形態では、表示画面１５０上に評価値がグラフ表示される例を示した。
【００８７】
ここでそのグラフ表示に加えて、評価値が所定の基準値を越えたときには、上記メモリ１８１０（図３参照）内の多数の定義データの中から評価値がさらに大きくなる定義データを抽出してその定義データ中の顔の位置を表示画面１５０上に重ねて表示する第２の実施形態にしても良い。そうすると、撮影者にもっと良い構図にすることができる顔の位置を表示することによって撮影装置に操作内容を指示することができる。
【００８８】
図７は、より良い構図を表示画面１５０上に重ねて表示する構成にした場合の例を説明する図である。なお、この第２実施形態においても、図１の外観を持ち、図２の内部構成を持つデジタルカメラが用いられるとする。
【００８９】
図７の処理は、ステップＳ６０７１、ステップＳ６０７２、ステップＳ６０７３が追加されている以外は、図６の処理と同じ処理である。
【００９０】
図７のステップＳ６０７でグラフ表示を行なった後、ステップＳ６０７１で評価値が所定の基準値よりも大きいかどうかを判定する。このステップＳ６０７１で所定の基準値以上であると判定した場合には、構図評価手段１８１が備えるメモリ１８１０内の定義データの中から評価値が極大となる類似の定義データを抽出するとともにその定義データ中の顔位置を判読してその顔位置を表わすパラメータをＶｉｄｅｏＥｎｃｏｄｅｒ１２７を介して画像表示装置にセットしてＯＳＤ機能を使って表示画面１５０上に顔を表わすマークを表示させる。また、ステップＳ６０７１で現在の評価値が所定の基準値未満であると判定したらステップＳ６０７２とステップＳ６０７３をスキップしてステップＳ６０８へ進み所定の時間の経過を待ってステップＳ６０２に戻ってステップＳ６０２からの処理を繰り返す。
【００９１】
図８は、図７の処理を実行した場合の表示画面上の表示例を示す図である。
【００９２】
図８の図も図５と同様の図である。
【００９３】
図８（ａ）には、構図評価手段１８１によってスルー画に基づいて評価値が算出されスルー画とともに評価値がグラフ表示されているときの表示が示されている。
【００９４】
この図８（ａ）には、評価値が所定の基準値未満の場合の構図が示されている。このときに撮影者によってズームスイッチ（Ｔ：テレ側）が操作され図８（ｂ）の構図に変更されると、この図８（ｂ）のグラフ表示で評価値が大きくなったことが通知される。
【００９５】
このときの評価値が所定の基準値以上であった場合には、図７のステップＳ６０７２の処理によって構図評価手段１８１が備えるメモリ１８１０内の定義データの中から評価点が極大となる類似の定義データが抽出され、その定義データの中の顔位置が判読されてステップＳ６０７３の処理によって表示画面１５０上の、現在の顔位置に最近接した、評価値が極大となる位置に破線でマークＭ１が図８（ｂ）に示す様に表示される。
【００９６】
撮影者は、そのマークＭ１の位置に顔が位置するようにデジタルカメラの向きを例えばチルティング操作することで図８（ｃ）の構図に簡単にすることができる。
【００９７】
つまり、図７のフローの処理が実行されると、表示画面１５０上に、評価値がもっと良くなる位置にマーク（図８（ｂ）のＭ１）が表示されるので撮影者は、そのマークＭ１を手がかりにデジタルカメラ１００を操作して、図８（ｃ）の構図を得ることができる。
【００９８】
すなわち、本発明にいう、構図評価通知手段は、構図評価手段１８１で求められた評価値が所定の基準値以上の評価値であったときに、表示画面１５０上の、現在の顔位置に最近接した、評価値が極大となる位置にマークＭ１を表示させるものであるということになる。
【００９９】
このようにすると撮影における最適な構図が撮影者に適時に示されるので撮影者は、最適な構図を撮影の度に得て撮影技術の向上を図りながらの撮影を行なうことができる。
【０１００】
ここで上記第１、第２の実施形態では、顔位置検出手段１８０と構図評価手段１８１が絶えず動作してしまうので、レリーズ釦１０２が半押しされたときに上記顔位置検出手段１８０と上記構図評価手段１８１をアクティブ状態に遷移させる構成にすると、それらの２つの手段の負担が軽減され電力消費が低減される。
【０１０１】
図９は、レリーズ釦１０２が半押しされたときに上記顔位置検出手段１８０と上記構図評価手段１８１をアクティブ状態にする構成にした場合の処理手順を示すフローチャートである。なお、この第３実施形態においても、図１の外観を持ち、図２の内部構成を持つデジタルカメラが用いられるとする。
【０１０２】
図９のフローは、図６のフローのうちのステップＳ６０５〜ステップＳ６０７までの処理が、ステップＳ６０１１のレリーズ釦の半押し（Ｓ１）後の処理（ステップＳ６０１２〜ステップＳ６０１４）に変更され、さらにステップＳ６０２５にレリーズ釦１０２の半押し（Ｓ１）がキャンセルされた場合の処理が追加されている。
【０１０３】
フローを参照して処理を簡単に説明する。
【０１０４】
ステップＳ６０１で、ＣＰＵ１１０は、ＣＣＤ１２０で生成されたスルー画を表示バッファであるＶＲＡＭ１２６を介しＶｉｄｅｏＥｎｃｏｄｅｒ１２７を通して画像表示装置１５に所定の間隔ごとに供給して画像表示装置１５が備える表示画面１５０上にスルー画を表示させる。
【０１０５】
次のステップＳ６０１１でＣＰＵ１１０は、このスルー画を見ている撮影者によってレリーズ釦１０２が押下されたかどうかを判定する。このステップＳ６０１１でレリーズ釦１０２が押下されないと判定したら、ステップＳ６０１１の処理を繰り返す。ステップＳ６０１１でレリーズ釦１０２が半押しされたと判定したらＹｅｓ側へ進んで
ステップＳ６０１２で顔位置検出手段１８０と構図評価手段１８１をアクティブ状態にしてスルー画をＶＲＡＭ１２６に供給するとともに顔位置検出手段１８０に供給して顔の位置を検出させ、さらにステップＳ６０１３で構図評価手段１８１にその顔の位置に基づいて構図の良さの程度を表わす評価値を算出させる。ステップＳ６０１４でＣＰＵ１１０はその評価値を受けて、画像表示装置１５が有するＯＳＤ機能を働かせるためにＶｉｄｅｏＥｎｃｏｄｅｒ１２７を介して画像表示装置１５にＯＳＤパラメータをセットして表示画面１５０上に評価値を棒グラフ表示させる。
【０１０６】
次のステップＳ６０２でレリーズ釦１０２が全押されたと判定したらＹｅｓ側へ進んでステップＳ６０３で前述の撮影処理を実行して記録メディア１６０に画像を記録する。このときには評価値を撮影情報としてヘッダ部に記録する。次のステップＳ６０４で電源スイッチ１０１ａがオフされたか、モードレバー１０１ｅが再生側に切り替えられたかを判定して撮影終了であると判定したら、Ｙｅｓ側へ進んでこのフローの処理を終了する。
【０１０７】
このステップＳ６０４で電源スイッチ１０１ａがオフされず、またモードレバー１０１ｅも撮影モードに切り替えられたままであると判定したらＮｏ側へ進んでステップＳ６０１１に戻ってステップＳ６０１１からの処理を繰り返す。
【０１０８】
ステップＳ６０２でレリーズ釦が全押しされずにステップＳ６０２５でレリーズ釦の半押しがキャンセルされたと判定したら、ステップＳ６０１１に戻ってステップＳ６０１１からの処理を繰り返し、ステップＳ６０２５で半押しのままであると判定したらＮｏ側へ進んでステップＳ６０２に戻って全押しを待つ。
【０１０９】
以上のような処理にすると、顔位置検出手段１８０と構図評価手段１８１の処理の負荷が軽減されて電力消費が低減されるという効果が得られる。
【０１１０】
ここまでの実施形態においては、グラフ表示で評価点を通知するとともに表示画面上の表示態様を変化させることによって構図が良くなったことを撮影者の視覚に訴えて直感的に通知することができるようにする構成を示したが、視覚に訴えるだけでなく聴覚にも訴える構成、つまり音を出力させる構成にするとより一層の効果が得られる。
【０１１１】
図１０は、音の出力を効果的に用いた場合の処理例を示すフローチャートである。なお、この第４実施形態においても、図１の外観を持ち、図２の内部構成と同じ構成を持つデジタルカメラが用いられるとする。
【０１１２】
図６の処理にステップＳ６０７１とステップＳ６０７３ＡとステップＳ６０７４とステップＳ６０７５の処理が追加されている。図７のフローと同様の処理になるため、図７の処理と同様の処理には同様の数字を付してある。
【０１１３】
変更箇所を中心に説明する。
【０１１４】
ステップＳ６０７１で評価値が所定の基準値未満である場合には、Ｎｏ側へ進んでステップＳ６０７５で顔枠情報を表わすパラメータをＶｉｄｅｏｅｎｃｏｄｅｒ１２７を通して画像表示装置１５にセットして表示画面１５０上に顔枠を表示させる。次のステップＳ６０８でウエイティング処理を行なって所定の時間の経過を待ってステップＳ６０２に戻って以降ステップＳ６０２からの処理を繰り返す。
【０１１５】
一方、ステップＳ６０７１で撮影者側のデジタルカメラの操作により評価値が所定の基準値以上であると判定した場合には、Ｙｅｓ側へ進んでステップＳ６０７３Ａで顔枠情報を強調するパラメータをＶｉｄｅｏＥｎｃｏｄｅｒ１２７を通して画像表示装置１５にセットしていままでよりも線の太い顔枠を表示させるとともにステップＳ６０７４で音声処理部１４１を制御してビープ音を再生させる。次のステップＳ６０８でウエイティング処理を行なって所定の時間の経過を待ってステップＳ６０２に戻って以降ステップＳ６０２からの処理を繰り返す。
【０１１６】
ステップＳ６０２からＳ６０８を繰り返している最中にレリーズ釦が押されたら、ステップＳ６０２でＹｅｓ側へ進んでステップＳ６０３で上記の撮影処理を実行して記録メディア１６０に画像を記録する。このときには評価値を撮影情報としてヘッダ部に記録する。次のステップＳ６０４で電源スイッチ１０１ａがオフされたか、モードレバー１０１ｅが再生側に切り替えられたかを判定して撮影終了であると判定したら、Ｙｅｓ側へ進んでこのフローの処理を終了する。
【０１１７】
このステップＳ６０４で電源スイッチ１０１ａがオフされず、またモードレバー１０１ｅも撮影モードに切り替えられたままであると判定したらＮｏ側へ進んでステップＳ６０２に戻ってステップＳ６０２からの処理を繰り返す。
【０１１８】
以降、ステップＳ６０２でレリーズ釦１０２が押下されていないと判定したら、ステップＳ６０２からステップＳ６０８の処理を繰り返し、レリーズ釦１０２が押下されたと判定したらＮｏ側へ進んでステップＳ６０３で撮影処理を行なってステップＳ６０４で電源スイッチ１０１ａがオフされるか、モードレバー１０１ｅが再生モードに切り替えられたら撮影終了であると判定してこのフローの処理を終了する。
【０１１９】
図１１は、図１０のフローを実行した場合の表示の状態の変化を説明する図である。
【０１２０】
構図評価手段１８１で算出された評価値が小さい場合には、ステップＳ６０７５の処理で線の細い顔枠が表示される。ここでズームスイッチ１０１ｆのうちのテレスイッチが操作されて図１１（ｂ）の画像になって評価点が大きくなったら、ステップＳ６０７３Ａの処理によって顔枠が太くされ強調表示されるとともにステップＳ６０７４でビープ音が再生される。このようにすると、評価がより分かり易くかつ直感的に撮影者に通知される。
【０１２１】
そうすると、撮影者は、デジタルカメラの向き等を操作している最中に表示と音との双方で評価値の高い構図になったことを確認してシャッタチャンスに良い構図での撮影を行なうことができ、さらには良い構図を得るための操作を習得することができる。
【０１２２】
以上説明した様に、撮影に不慣れな撮影者が、撮影の失敗を繰り返さなくても撮影技術の向上を図ることができる撮影装置が実現する。
【０１２３】
また、評価値が大きくなったときだけでなく、評価値が小さくなったときにも表示画面１５０上の表示態様が変化したり音が変化したりして撮影者に評価が通知されると、撮影者は、音の変化や表示態様の変化によって良い構図であるか悪い構図であるかを直感的に把握することができるようになる。そうすると、より良い構図を得るためには好ましくない操作がどのようなものであるかも把握することができるようになる。
【０１２４】
図１２は、評価値が小さくなったときにも音の再生を行なうようにした場合の例を説明する図である。
【０１２５】
ステップＳ６０９からステップＳ６１５までの処理が追加された以外の基本的な流れは、図６、図７、図９等とほぼ同じであるので、追加されたステップの処理を中心に説明する。
【０１２６】
ステップＳ６０９で、レリーズ釦が半押しされたと判定したときにはＹｅｓ側へ進んでステップＳ６１０で、構図評価手段１８１で求められた評価値が所定の第１の基準値（０．８）以上であるかどうかを判定し、所定の第１の基準（０．８）以上であると判定したときにはステップＳ６１１へ進んで音出力手段である音声処理部１４２に、その第１の基準値以上の評価値が得られたことに対応するビープ音Ａを再生させる。本実施形態では、より音が効果的になるように、音声処理部１４２に、第１の基準値（０．８）以上の評価値が得られたことに対応する断続音であって、値の大きな評価値ほど時間間隔の短い断続音を出力させている。
【０１２７】
また、ステップＳ６１０で評価値が上記第１の基準値（０．８）よりも低いと判定したときには、ステップＳ６１２へジャンプしてステップＳ６１２で、構図評価手段１８１で求められた評価値が所定の第１の基準値（０．８）よりも低い所定の第２の基準値（０．２）にも達しない評価値であるかどうかを判定する。このステップＳ６１２で、所定の第１の基準値（０．８）よりも小さく所定の第２の基準値（０．２）にも達しない評価値であったときに、ステップＳ６１３で、音声処理部１４１に、その第２の基準値（０．２）に達しない評価値が得られたことに対応するビープ音Ｂを出力させている。
【０１２８】
このようにすると、音によって構図の良し悪しを撮影者に通知することができるので、撮影者の操作が正しいことだけでなく、撮影者の操作が誤っていることを適時に通知することができる。
【０１２９】
以上説明した様に、撮影に不慣れな撮影者が、撮影の失敗を繰り返さなくても撮影技術の向上を図ることができる撮影装置が実現する。
【０１３０】
最後に、ここまでは黄金分割に基づいてスルー画を解析する例を掲げたが、スルー画中の人物の顔の目線によって構図の良し悪しを評価することもできる。
【０１３１】
図１３は、スルー画中の人物の目線で構図の良し悪しを判定した場合の例を説明する図である。図１３（ａ）には、評価値が低い場合の構図が示されており、図１３（ｂ）には、評価値が大きくなった場合の構図が示されている。図１３（ｂ）には、画面を９分割する分割線が示されており、それらの分割線のうちの横線のうちの上側の線Ｐに目線が位置すると評価点は１．０、下側の線Ｑに目線が位置すると評価点が０．５、上下端Ｒ１，Ｒ２に目線が位置すると０という風に評価される。
【０１３２】
図１３（ｂ）に示す様に、目線の位置が、分割線Ｐ上にある場合には評価値が１．０となって良い構図であると評価される。それ以外の位置に目線がある場合には、黄金分割のときと同様に比例配分等により評価値が適宜算出される。
【０１３３】
このときには、例えば表示画面１５０上に、構図評価手段１８１で求められた評価値が値の大きな評価値であるほど、図１３（ｂ）に示す様に、太線の、顔位置検出手段１８０で検出された顔位置を横切って延びる当該撮影装置に対する水平線からなるマークを表示させる。こうすると撮影者に構図の良し悪しが瞬時のうちに通知される。
【０１３４】
さらに図１３（ｂ）に示す位置に目線が位置したときには、評価点が１．０であって最も良い構図となるので、太線表示に加えてビープ音を出力させる構成にしておくと、良い構図になったことが撮影者により分かり易く通知されるようになる。
【０１３５】
つまり、撮影者は、図１３（ｂ）に示す横方向に延びる分割線を目安にしてデジタルカメラを操作しているときに目線を横切る線の太さの変化を見て良い構図であるかどうかと、更にビープ音の出力を聞いて良い構図であるかどうかを瞬時のうちに判断することができるようになる。このようにしても、良い構図であるかどうかが視覚的に撮影者にリアルタイムに通知されるので、撮影者は良い構図が得られたタイミングで撮影を行なうことができ、さらにその良い構図を得るための撮影操作を短時間のうちに習得することができるようになる。また評価値がリアルタイムに通知されるために評価点が悪いときには撮影をせずに済むので、撮影に失敗することがほぼなくなる。
【０１３６】
すなわち、撮影に不慣れな撮影者が撮影の失敗を繰り返さなくても撮影技術の向上を図ることができる撮影装置が実現する。
【図面の簡単な説明】
【０１３７】
【図１】本発明の撮影装置の一実施形態であるデジタルカメラを示す図である。
【図２】図１のデジタルカメラ１００内部の電気系統の構成ブロック図である。
【図３】撮影指示前に、スルー画から構図の良さの程度を表わす評価値を求める処理を行なう部分のみを抜き出して示した処理系統図である。
【図４】本実施形態のデジタルカメラ１００が行なう表示例を説明する図である。
【図５】評価値の算出の仕方を説明する図である。
【図６】ＣＰＵ１１０が実行する撮影処理の手順を示すフローチャートである。
【図７】より良い構図を表示画面上に重ねて表示する構成にした場合の例を説明する図である。
【図８】図７の処理を実行した場合の表示画面上の表示例を示す図である。
【図９】レリーズ釦１０２が半押しされたときに上記顔位置検出手段１８０と上記構図評価手段１８１をアクティブ状態にする構成にした場合の処理手順を示すフローチャートである。
【図１０】音の出力を効果的に用いた場合の処理例を示すフローチャートである。
【図１１】図１０のフローを実行した場合の表示の状態の変化を説明する図である。
【図１２】評価点が低くなったときにも音の再生を行なうようにした場合の例を説明する図である。
【図１３】スルー画中の人物の目線で構図の良し悪しを判定した場合の例を説明する図である。
【符号の説明】
【０１３８】
１００  デジタルカメラ
１０１  操作子群
１０１ａ    電源スイッチ
１０１ｂ    十字キー
１０１ｃ    メニュー／ＯＫキー
１０１ｄ  キャンセルキー
１０１ｅ    モードレバー
１０１ｆ    ズームスイッチ
１０２  レリーズ釦
１０５  ファインダ
１１０    ＣＰＵ
１１１    タイミングジェネレータ
１２０    ＣＣＤ
１２１    ＣＤＳＡＭＰ
１２２    Ａ／Ｄ変換部
１２３    画像入力コントローラ
１２４    メモリ（ＳＤＲＡＭ）
１２５  画像信号処理部
１２６  ＶＲＡＭ
１２７    ＶｉｄｅｏＥｎｃｏｄｅｒ
１２８    圧縮処理部
１２９    メディアＣｏｎｔｒｏｌｌｅｒ
１８０    顔位置検出手段
１８１    評価値算出手段
１５    画像表示装置
１５０    表示画面
１６０    記録媒体
【図１】
2009055448.tif 000003
【図２】
2009055448.tif 000004
【図３】
2009055448.tif 000005
【図４】
2009055448.tif 000006
【図５】
2009055448.tif 000007
【図６】
2009055448.tif 000008
【図７】
2009055448.tif 000009
【図８】
2009055448.tif 000010
【図９】
2009055448.tif 000011
【図１０】
2009055448.tif 000012
【図１１】
2009055448.tif 000013
【図１２】
2009055448.tif 000014
【図１３】
2009055448.tif 000015